(57)【要約】      （修正有）【課題】取っ手を有しながらも缶のコンパクトな収容を可能にする缶蓋を提供する。【解決手段】蓋本体１の天井壁４には一対の切り抜き孔５が間隔をあけて形成されており、これら一対の切り抜き孔５の間に位置する天井壁４の部分により、取っ手部Ｈが構成されている。また、蓋本体１の天井壁４の内面にカバー部材２が固定されており、このカバー部材２により一対の切り抜き孔５が覆われて各切り抜き孔５と蓋本体１の内部との連通が遮断されている。取っ手部Ｈは、一対の切り抜き孔５の間に位置する天井壁４の部分により構成されているため、従来の缶蓋のように、取っ手部Ｈが蓋本体１の天井壁４の上に突出することはなく、そのため、この缶蓋を缶に取り付けたときの缶全体の高さを小さくすることができると共に複数の缶の積み重ねが可能になる。【選択図】図２
0003132378.tif 000002
【実用新案登録請求の範囲】
【請求項１】
缶の入口部に着脱自在に取り付けられると共にその天井壁に複数の切り抜き孔が形成されることでこれら複数の切り抜き孔の間の天井壁により取っ手部が構成される蓋本体と、
凹部を有すると共に前記蓋本体の天井壁の内面に固定されて前記凹部により前記複数の切り抜き孔全体を覆うカバー部材と
を備えることを特徴とする缶蓋。
【請求項２】
前記蓋本体の複数の切り抜き孔の縁部のうち前記カバー部材の凹部の開口端周縁部に対応する縁部に、前記蓋本体の内部に突出すると共にその先端に外巻きカール部を有する突出部が形成され、前記カバー部材の凹部の開口端周縁部に内巻きカール部が形成され、前記蓋本体の内部から前記蓋本体の突出部に前記カバー部材の凹部の開口端周縁部を嵌合してその内巻きカール部を前記突出部の外巻きカール部に噛合させることにより前記蓋本体の天井壁の内面に前記カバー部材が固定される請求項１に記載の缶蓋。
【請求項３】
前記カバー部材の凹部の開口端周縁部は、接着剤を介して前記蓋本体の天井壁の内面に固定される請求項１または２に記載の缶蓋。
【考案の詳細な説明】
【技術分野】
【０００１】
この考案は、缶蓋に係り、特に缶の入口部に着脱自在に取り付けられる缶蓋に関する。
【背景技術】
【０００２】
従来より、菓子や茶葉等が収容される缶の入口部に着脱自在に取り付けられる缶蓋が使用されている。一般に、このような缶蓋では、径が小さいものは、その外周部を直接に把持して缶への着脱を行い、また、径が大きいものは、その天井壁の上に取っ手をネジ等で固定し、この取っ手を把持して缶への着脱を行うことが知られている。
【考案の開示】
【考案が解決しようとする課題】
【０００３】
しかしながら、缶蓋の天井壁の上に取っ手が突出していると、この缶蓋を缶に取り付けたときの缶全体の高さが大きくなって嵩ばるだけでなく、複数の缶を互いに積み重ねることができず、そのため、缶の保管時または搬送時などに大きな収容スペースを必要とするという問題があった。
この考案はこのような問題点を解消するためになされたもので、取っ手を有しながらも缶のコンパクトな収容を可能にする缶蓋を提供することを目的とする。
【課題を解決するための手段】
【０００４】
この考案に係る缶蓋は、缶の入口部に着脱自在に取り付けられると共にその天井壁に複数の切り抜き孔が形成されることでこれら複数の切り抜き孔の間の天井壁により取っ手部が構成される蓋本体と、凹部を有すると共に蓋本体の天井壁の内面に固定されて凹部により複数の切り抜き孔全体を覆うカバー部材とを備えるものである。
【０００５】
蓋本体の複数の切り抜き孔の縁部のうちカバー部材の凹部の開口端周縁部に対応する縁部に、蓋本体の内部に突出すると共にその先端に外巻きカール部を有する突出部が形成され、カバー部材の凹部の開口端周縁部に内巻きカール部が形成され、蓋本体の内部から蓋本体の突出部にカバー部材の凹部の開口端周縁部を嵌合してその内巻きカール部を突出部の外巻きカール部に噛合させることで、蓋本体の天井壁の内面にカバー部材が固定されるように構成することもできる。
また、カバー部材の凹部の開口端周縁部は接着剤により蓋本体の天井壁の内面に固定されてもよい。
【考案の効果】
【０００６】
この考案によれば、蓋本体の天井壁に複数の切り抜き孔が形成され、これらの切り抜き孔の間に位置する天井壁を取っ手部として用いることができるため、取っ手を有しながらも缶のコンパクトな収容を可能にする缶蓋を提供することを目的とする。
【考案を実施するための最良の形態】
【０００７】
以下、この考案の実施の形態を添付図面に基づいて説明する。
図１及び２に、この考案の実施の形態に係る缶蓋を示す。この缶蓋は、図示しない缶の入口部に着脱自在に取り付けられる蓋本体１と、この蓋本体１の内部に固定されるカバー部材２とを有する。蓋本体１は、円筒形状を有する側壁３と、この側壁３の一端部に配置される板状の天井壁４とを有しており、天井壁４には一対の切り抜き孔５が間隔をあけて形成されている。これら一対の切り抜き孔５の間に位置する天井壁４の部分により、取っ手部Ｈが構成されている。
カバー部材２は、蓋本体１の天井壁４の内面に対向する凹形状を有すると共に、その開口端周縁部６が蓋本体１の天井壁４の内面に固定されており、このカバー部材２により一対の切り抜き孔５が覆われて各切り抜き孔５と蓋本体１の内部との連通が遮断されている。
【０００８】
ここで、蓋本体１の天井壁４の一対の切り抜き孔５は、取っ手部Ｈを中心にして互いに対称な形状を有しており、これら一対の切り抜き孔５の互いに対向する縁部７はそれぞれ直線状に形成されると共に、互いに反対方向に位置する縁部８は円弧状に形成されている。また、各切り抜き孔５にはその周縁部全体にわたって、蓋本体１の内部に僅かに突出する突出部９が形成されている。
【０００９】
また、カバー部材２の開口端周縁部６は、蓋本体１の一対の切り抜き孔５の縁部８の円弧形状に対応する円形状を有しており、この開口端周縁部６が、蓋本体１の一対の切り抜き孔５の円弧状の縁部８に対応する突出部９の外側に嵌合されることにより、カバー部材２が蓋本体１の天井壁４の内面に固定されている。
【００１０】
図３に示されるように、蓋本体１の天井壁４の突出部９はその先端に、切り抜き孔５に対して外巻きにカールすると共に円弧状の断面形状を有する外巻きカール部Ａを有している。また、カバー部材２の開口端周縁部６は、凹形状のカバー部材２の開口に対して内巻きにカールすると共に円弧状の断面形状を有する内巻きカール部Ｂを有している。カバー部材２の開口端周縁部６の内巻きカール部Ｂが突出部９の外巻きカール部Ａに噛合することにより、カバー部材２の開口端周縁部６が突出部９に係止されている。
【００１１】
ここで、図４及び図５に示されるように、蓋本体１の内部にカバー部材２を挿入して、このカバー部材２の開口端周縁部６を、蓋本体１の一対の切り抜き孔５の円弧状の縁部８に対応する突出部９の外側に嵌合すると、カバー部材２の開口端周縁部６の内巻きカール部Ｂが突出部９の外巻きカール部Ａに噛合することによりカバー部材２の開口端周縁部６が突出部９に係止され、これにより、図１及び２に示されるように、カバー部材２が蓋本体１の天井壁４の内面に固定される。また、このとき、カバー部材２により蓋本体１の天井壁４の一対の切り抜き孔５が覆われて、切り抜き孔５と蓋本体１の内部の連通が遮断される。
このように、カバー部材２の開口端周縁部６を蓋本体１の天井壁４の突出部９に嵌合するだけで、カバー部材２を容易に天井壁４の内面に固定することができる。
【００１２】
以上のような構成を有する缶蓋は、蓋本体１の天井壁４の一対の切り抜き孔５の間に取っ手部Ｈが形成されているため、この取っ手部Ｈを把持して図示しない缶への着脱を容易に行うことができる。
また、取っ手部Ｈは、一対の切り抜き孔５の間に位置する天井壁４の部分により構成されているため、従来の缶蓋のように、取っ手部Ｈが蓋本体１の天井壁４の上に突出することはなく、したがって、この缶蓋を図示しない缶に取り付けたときの缶全体の高さを小さくすることができると共に複数の缶の積み重ねが可能になる。これにより、缶をコンパクトに収容して保管または搬送等を行うことができる。
また、このように天井壁４の一部により取っ手部Ｈが構成されているため、蓋本体１の天井壁４に新たに取っ手をネジ等で取り付ける必要がなく、これにより単純な構造の缶蓋を実現することができる。
カバー部材２により、蓋本体１の天井壁４の一対の切り抜き孔５が覆われることで、切り抜き孔５と蓋本体１の内部の連通が遮断されるため、この缶蓋を図示しない缶に取り付けた際に各切り抜き孔５を介して缶の内部に埃等が侵入することを防止することができる。
【００１３】
また、天井壁４の一対の切り抜き孔５の互いに対向する縁部７には、これに対応する突出部９の先端に必ずしも外巻きカール部Ａを形成する必要はないが、これらの縁部７は取っ手部Ｈの縁部も兼ねているため、上述の実施の形態のように、縁部７に対応する突出部９の先端にも切り抜き孔５に対して外巻きにカールした外巻きカール部Ａを形成すれば、取っ手部Ｈの把持性を良好にすることができる。
【００１４】
なお、上述のように、蓋本体１の天井壁４の突出部９にカバー部材２の開口端周縁部６を嵌合して固定するのに加えて、接着剤により、カバー部材２の開口端周縁部６を蓋本体１の天井壁４の内面に固定することもできる。このように構成すれば、カバー部材２が蓋本体１の天井壁４の内面に強固に固定されると共に、この缶蓋を図示しない缶に取り付けた際の密封性を向上させることができる。
【００１５】
また、上述の実施の形態では、蓋本体１の天井壁４に一対の切り抜き孔５が形成されていたが、これに限定されるものではなく、蓋本体１の天井壁４に３つ以上の切り抜き孔５を形成することもでき、この場合も、それらの切り抜き孔５の間に位置する天井壁４の部分を取っ手部として用いることができる。
また、各切り抜き孔５は、図１に示される形状に限定されず、円形、矩形及びその他各種の形状に形成することができ、また、複数の切り抜き孔５が互いに異なる形状に形成されてもよい。
また、この考案は、円形の天井壁４を有する蓋本体１だけでなく、楕円形、矩形及びその他各種形状の天井壁を有する蓋本体に適用することができる。
【図面の簡単な説明】
【００１６】
【図１】この考案の実施の形態に係る缶蓋を示す平面図である。
【図２】実施の形態に係る缶蓋を示す断面図である。
【図３】実施の形態におけるカバー部材の開口端周縁部及び蓋本体の突出部の構造を示す端面図である。
【図４】実施の形態におけるカバー部材が蓋本体１に固定する様子を示す斜視図である。
【図５】実施の形態におけるカバー部材を蓋本体１に固定する様子を示す断面図である。
【符号の説明】
【００１７】
１  蓋本体、２  カバー部材、３  側壁、４  天井壁、５  切り抜き孔、６  開口端周縁部、７，８  縁部、９  突出部、Ａ  外巻きカール部、Ｂ  内巻きカール部、Ｈ  取っ手部。
【図１】
0003132378.tif 000003
【図２】
0003132378.tif 000004
【図３】
0003132378.tif 000005
【図４】
0003132378.tif 000006
【図５】
0003132378.tif 000007